(57)【要約】【課題】鏡面の定曲率部を通した視認であるのか徐変曲率部を通した視認であるのかを容易に判断できるようにして、鏡面を覗き込む乗員の判断を助けることのできる車両の間接視認装置を提供する。【解決手段】ドアミラー１０の反射鏡１１に、鏡面の曲率半径がほぼ一定の定曲率部１２と、この定曲率部１２に連続し鏡面の曲率半径が端部に向かうにつれて徐々に小さくなる徐変曲率部１３を設ける。定曲率部１２に偏光膜１７を設け、徐変曲率部１３に色彩フィルタ１８を設ける。【選択図】図２
2008174219.tif 000002
【特許請求の範囲】
【請求項１】
反射鏡を備え、この反射鏡が、鏡面の曲率半径がほぼ一定の定曲率部と、この定曲率部に連続し鏡面の曲率半径が端部に向かうにつれて徐々に小さくなる徐変曲率部を有する車両の間接視認装置において、
前記鏡面の定曲率部と徐変曲率部の反射形態が異なっていることを特徴とする車両の間接視認装置。
【請求項２】
前記定曲率部と徐変曲率部のいずれか一方に偏光膜が設けられていることを特徴とする請求項１に記載の車両の間接視認装置。
【請求項３】
前記偏光膜は前記定曲率部に設けられていることを特徴とする請求項２に記載の車両の間接視認装置。
【請求項４】
前記定曲率部と徐変曲率部のいずれか一方に色彩フィルタが設けられていることを特徴とする請求項１に記載の車両の間接視認装置。
【請求項５】
前記色彩フィルタは前記徐変曲率部に設けられていることを特徴とする請求項４に記載の車両の間接視認装置。
【請求項６】
前記定曲率部に偏光膜が設けられ、前記徐変曲率部に色彩フィルタが設けられていることを特徴とする請求項１に記載の車両の間接視認装置。
【請求項７】
前記色彩フィルタは、５００ｎｍ〜５６０ｎｍの波長を中心とした分光特性が得られるように設定されていることを特徴とする請求項４〜６のいずれか１項に記載の車両の間接視認装置。
【請求項８】
前記定曲率部と徐変曲率部のいずれか一方に、視認角度により可視状態と不可視状態に変化する視野角調整フィルムが設けられ、この視野角調整フィルムは、車両に搭載した状態において、乗員の左右の一方の眼からは可視状態とされるとともに他方の眼からは不可視状態とされることを特徴とする請求項１に記載の車両の間接視認装置。
【請求項９】
前記視野角調整フィルムは前記徐変曲率部に設けられていることを特徴とする請求項８に記載の車両の間接視認装置。
【請求項１０】
前記定曲率部に色彩フィルタが設けられ、前記徐変曲率部に視野角調整フィルムが設けられていることを特徴とする請求項１〜９のいずれか１項に記載の車両の間接視認装置。
【請求項１１】
前記車両の間接視認装置は、車両の左右両側部に設置されるドアミラーであって、
前記視野角調整フィルムは、前記右側ドアミラーが車両に設置された状態において、乗員の左眼からは可視状態とされるとともに右眼からは不可視状態とされ、前記左側ドアミラーが車両に設置された状態において、乗員の右眼からは可視状態とされるとともに左眼からは不可視状態とされることを特徴とする請求項８〜１０のいずれか１項に記載の車両の間接視認装置。
【発明の詳細な説明】
【技術分野】
【０００１】
この発明は、反射鏡によって車両の後方や側方の視界を得るサイドミラー等の車両の間接視認装置に関するものである。
【背景技術】
【０００２】
車両のサイドミラー等の間接視認装置の鏡面は、通常、曲率半径がほぼ一定に形成されている。しかし、このような間接視認装置においては、鏡面で視認し得る範囲が限られてしまうため、鏡面の曲率半径を部分的に変化させ、視認範囲を拡大できるようにしたものが案出されている（例えば、特許文献１参照）。
【０００３】
この間接視認装置の鏡面は、図６に示すように、曲率半径がほぼ一定の定曲率部１０１の端に、曲率半径が端部に向かうにつれて徐々に小さくなる徐変曲率部１０２が連続して設けられ、定曲率部１０１では視認の難しい広角範囲を徐変曲率部１０２で視認し得るようになっている。
【特許文献１】特開平８−１０８８００号公報
【発明の開示】
【発明が解決しようとする課題】
【０００４】
しかし、この従来の間接視認装置においては、定曲率部１０１と徐変曲率部１０２が連続しており両者の境界が視認上明確でないため、鏡面に映っている像が定曲率部１０１を通した像であるのか、徐変曲率部１０２を通した像であるのかを判断することが難しく、鏡面を通しての対象物の方向や距離を正確に判断しにくい状況が考えられる。
【０００５】
そこで、この発明は、鏡面の定曲率部を通した視認であるのか徐変曲率部を通した視認であるのかを容易に判断できるようにして、鏡面を覗き込む乗員の判断を助けることのできる車両の間接視認装置を提供しようとするものである。
【課題を解決するための手段】
【０００６】
上記の課題を解決する請求項１に記載の発明は、反射鏡（例えば、後述の実施形態における反射鏡１１）を備え、この反射鏡が、鏡面の曲率半径がほぼ一定の定曲率部（例えば、後述の実施形態における定曲率部１２）と、この定曲率部に連続し鏡面の曲率半径が端部に向かうにつれて徐々に小さくなる徐変曲率部（例えば、後述の実施形態における徐変曲率部１３）を有する車両の間接視認装置（例えば、後述の実施形態におけるドアミラー１０）において、前記鏡面の定曲率部と徐変曲率部の反射形態が異なっていることを特徴とする。
【０００７】
請求項２に記載の発明は、請求項１に記載の車両の間接視認装置において、前記定曲率部と徐変曲率部のいずれか一方に偏光膜（例えば、後述の実施形態における偏光膜１７）が設けられていることを特徴とする。
【０００８】
請求項３に記載の発明は、請求項２に記載の車両の間接視認装置において、前記偏光膜は前記定曲率部に設けられていることを特徴とする。
【０００９】
請求項４に記載の発明は、請求項１に記載の車両の間接視認装置において、前記定曲率部と徐変曲率部のいずれか一方に色彩フィルタ（例えば、後述の実施形態における色彩フィルタ１８）が設けられていることを特徴とする。
【００１０】
請求項５に記載の発明は、請求項４に記載の車両の間接視認装置において、前記色彩フィルタは前記徐変曲率部に設けられていることを特徴とする。
【００１１】
請求項６に記載の発明は、請求項１に記載の車両の間接視認装置において、前記定曲率部に偏光膜が設けられ、前記徐変曲率部に色彩フィルタが設けられていることを特徴とする。
【００１２】
請求項７に記載の発明は、請求項４〜６のいずれか１項に記載の車両の間接視認装置において、前記色彩フィルタは、５００ｎｍ〜５６０ｎｍの波長を中心とした分光特性が得られるように設定されていることを特徴とする。
【００１３】
請求項８に記載の発明は、請求項１に記載の車両の間接視認装置において、前記定曲率部と徐変曲率部のいずれか一方に、視認角度により可視状態と不可視状態に変化する視野角調整フィルム（例えば、後述の実施形態における視野角調整フィルタ３０）が設けられ、この視野角調整フィルムは、車両に搭載した状態において、乗員の左右の一方の眼からは可視状態とされるとともに他方の眼からは不可視状態とされることを特徴とする。
【００１４】
請求項９に記載の発明は、請求項８に記載の車両の間接視認装置において、前記視野角調整フィルムは前記徐変曲率部に設けられていることを特徴とする。
【００１５】
請求項１０に記載の発明は、請求項１〜９のいずれか１項に記載の車両の間接視認装置において、前記定曲率部に色彩フィルタが設けられ、前記徐変曲率部に視野角調整フィルムが設けられていることを特徴とする。
【００１６】
請求項１１に記載の発明は、請求項８〜１０のいずれか１項に記載の車両の間接視認装置において、前記車両の間接視認装置は、車両の左右両側部に設置されるドアミラーであって、前記視野角調整フィルムは、前記右側ドアミラーが車両に設置された状態において、乗員の左眼からは可視状態とされるとともに右眼からは不可視状態とされ、前記左側ドアミラーが車両に設置された状態において、乗員の右眼からは可視状態とされるとともに左眼からは不可視状態とされることを特徴とする。
【発明の効果】
【００１７】
請求項１に記載の発明によれば、鏡面の定曲率部と徐変曲率部の反射形態が異なるため、反射形態の相違から、現在の視認が鏡面の定曲率部を通した視認であるのか、徐変曲率部を通した視認であるのかを容易に判断することが可能になる。したがって、間接視認装置による乗員の視認判断をより正確なものとすることができる。
【００１８】
請求項２に記載の発明によれば、定曲率部と徐変曲率部のいずれか一方に偏光膜が設けられているため、偏光膜によって乱反射を除去して防眩効果を得ることができるとともに、乱反射の有無によって現在視認している反射鏡上の領域が定曲率部であるのか徐変曲率部であるのかを容易に把握することができる。
【００１９】
請求項３に記載の発明によれば、偏光膜が定曲率部に設けられているため、定曲率部を通した主要な間接視認を偏光膜によって乱反射のない明瞭なものとすることができるうえ、徐変曲率部と偏光膜の組み合わせによる視認のしにくさを無くすことができる。
【００２０】
請求項４に記載の発明によれば、定曲率部と徐変曲率部のいずれか一方に色彩フィルタが設けられているため、色彩フィルタによって反射する光の波長を変換して視認のし易さを向上させることができるとともに、色彩の変化によって現在視認している反射鏡上の領域が定曲率部であるのか、徐変曲率部であるのかを容易に把握することが可能になる。
【００２１】
請求項５に記載の発明によれば、色彩フィルタが徐変曲率部に設けられているため、徐変曲率部に映し出される歪んだ周辺視界を色彩フィルタによって認知し易くすることができる。
【００２２】
請求項６に記載の発明によれば、定曲率部に偏光膜が設けられ、徐変曲率部に色彩フィルタが設けられているため、偏光膜によって定曲率部の乱反射を除去することができるとともに、色彩フィルタによって徐変曲率部の反射光の波長を変換することができ、しかも、乱反射の有無と色彩の変化から、現在視認している反射鏡上の領域が定曲率部であるのか徐変曲率部であるかをより容易に把握することができる。
【００２３】
請求項７に記載の発明によれば、色彩フィルタとして、暗所視でも明所視でも比視感度の高くなる５００ｎｍ〜５６０ｎｍの波長を中心とした分光特性が得られるものを採用しているため、昼夜や天候等に拘わらず反射鏡に映る像を乗員に明るく明確に認識させることができる。
【００２４】
請求項８に記載の発明によれば、定曲率部と徐変曲率部のいずれか一方に、乗員の左右の一方の眼からは可視状態となり、他方の眼からは不可視状態となる視野角調整フィルムが設けられているため、定曲率部と徐変曲率部の一方を左右の眼で見た場合に両目視差の関係で反射像が二重に見える状況においても、視野角調整フィルムによって一方の眼による視認を不可にすることにより、乗員に見える反射像を一重の明瞭な像にすることができる。
【００２５】
請求項９に記載の発明によれば、定曲率部を通した主要な間接視認が両目で行われ、徐変曲率部を通した周辺視界のみが片目で行われることになるため、後方視界をより見易くすることができる。
【００２６】
請求項１０に記載の発明によれば、定曲率部に色彩フィルタが設けられ、徐変曲率部に視野角調整フィルムが設けられているため、視野角調整フィルムによって徐変曲率部での左右の眼による像のダブリを防止することができるとともに、色彩フィルタによって現在視認している反射鏡上の領域が定曲率部であるのか徐変曲率部であるのかをより容易に把握することができる。
【００２７】
請求項１１に記載の発明によれば、ドアミラーの反射鏡に設けられる視野角調整フィルムが、乗員に近い側の眼に対して不可視状態とされ、遠い側の眼に対しては可視状態とされるため、乗員が像をより容易に視認することができる。
【発明を実施するための最良の形態】
【００２８】
以下、この発明の各実施形態を図面に基づいて説明する。なお、以下の説明においては、上下や前後等の方向は、特別に断らない限り車両の進行方向に対しての方向を指すものとする。
【００２９】
最初に、図１〜図４に示す第１の実施形態について説明する。
図１は、この発明にかかる間接視認装置の一例であるドアミラー１０を採用した車両の部分的な斜視図であり、図２は、ドアミラー１０の正面図（Ａ）と、ドアミラー１０の反射鏡１１部分を水平方向で切断したときの断面図（Ｂ）を併せて記載した図である。なお、同図中１４は、ドアミラー１０の反射鏡１１と図示しないミラー支持機構を保持するハウジングである。
【００３０】
ドアミラー１０の反射鏡１１は、図２に示すように、車幅方向内側の（車室寄りの）端部から逆側の端部に向かってほぼ３分の２の領域が、鏡面の曲率半径がほぼ一定の定曲率部１２とされ、車幅方向外側の残余の領域が、外側の端部に向かうにつれて鏡面の曲率半径が徐々に小さくなる徐変曲率部１３とされている。
また、反射鏡１１は、図２（Ｂ）に示すように、定曲率部１２と徐変曲率部１３の主反射機能が最下層の金属膜１５によって実現され、表層が一体のガラス板１６によって覆われているが、金属膜１５とガラス板１６の間には、定曲率部１２と徐変曲率部１３に対応して夫々偏光膜１７と色彩フィルタ１８が設けられている。
【００３１】
図３は、水溜り等の水膜１９のある路面２０を、定曲率部１２の偏光膜１７を通して見た場合のドアミラー１０の機能を説明する概念図である。同図に示すように、定曲率部１２の偏光膜１７は、路面２０の水膜１９等で乱反射した光のＳ偏光をカットし、水膜１９等での映り込みやギラツキを抑制する。定曲率部１２の偏光膜１７においては、このほか日中における強い太陽光や、夜間のヘッドライド、雪道の反射光等による乱反射を抑制し、視認性を向上させることができる。
【００３２】
図４は、明所視での比視感度曲線Ａと暗所視での比視感度曲線Ｂを示したものであり、同図に示すように、明所視では波長５５５ｎｍ付近での視感度が最大になり、暗所視では波長５０７付近での視感度が最大となる。
徐変曲率部１３の色彩フィルタ１８は、暗所視でも明所視でも比視感度の高くなる５００ｎｍ〜５６０ｎｍの波長を中心とした分光特性が得られるものを採用している。したがって、徐変曲率部１３では昼夜や天候等に拘わらず、反射像を乗員に明るく明確に認識させることができる。
【００３３】
以上の構成のドアミラー１０は、車室に近接した大面積の定曲率部１２において、遠近感のつかみ易い歪みの少ない明瞭な後方視界を得ることができるとともに、定曲率部１２に偏光膜１７が設けられていることから、乱反射が少なく、コントラストの高い後方視界を得ることができる。したがって、定曲率部１２においては、反射鏡１１を覗き込む乗員の眩しさを低減することができるとともに、路面のラインや文字、後続車のドライバーの状態（目線や動作）を認識し易くすることができる。
【００３４】
また、このドアミラー１０は、車幅方向外側の徐変曲率部１３において、後方から側方にかけての広角範囲の視界を得ることができるとともに、徐変曲率部１３に、５００ｎｍ〜５６０ｎｍの波長を中心とした分光特性の色彩フィルタ１８が設けられていることから、明所、暗所のいずれにおいても、視感度の高い明るい視界を得ることができる。
【００３５】
そして、さらにこのドアミラー１０においては、定曲率部１２に偏光膜１７が設けられ、徐変曲率部１３に色彩フィルタ１８が設けられているため、乱反射の有無と色彩の変化から乗員が現在目視している領域が定曲率部１２であるのか徐変曲率部１３であるのかを、容易にかつ正確に判断することができる。
【００３６】
ここで、図６（Ａ），（Ｂ）に示す比較例は、定曲率部１０１と徐変曲率部１０２が設けられ、金属膜１０３の前面を覆うガラス板１０４に、定曲率部１０１と徐変曲率部１０２に跨るように色彩フィルタ１０５が設けられたものである。この色彩フィルタ１０５は、広い範囲の波長の光を一様に低減するものであり、防眩効果を高めるために色彩フィルタ１０５の着色濃度を濃くした場合には全体的に視界が暗くなってしまう。また、色彩フィルタ１０５は、定曲率部１０１と徐変曲率部１０２の前面に連続して設けられているため、両者の境界が不明確になってしまう。
これに対し、この実施形態のドアミラー１０は、徐変曲率部１３に色彩フィルタ１８が設けられ、定曲率部１２に偏光膜１７が設けられているため、両部の境界が明確になるとともに、徐変曲率部１３に設けられる色彩フィルタ１８の分光特性が５００ｎｍ〜５６０ｎｍの波長を中心としたものであることから、徐変曲率部１３において充分な防眩効果を得つつも、乗員にとって物体を明るく視認し易い視界を確保することができる。
【００３７】
ところで、上記の実施形態の場合、反射鏡１１は金属膜１５上に偏光膜１７と色彩フィルタ１８を夫々配置し、これらの上面にガラス板１６を配置したが、図５に示す変形例のように、金属膜１５の上面にガラス板１６を配置し、ガラス板１６の上に偏光膜１７や色彩フィルタ（図示せず）を配置するようにしても良い。
また、上記の実施形態においては、定曲率部１２に偏光膜１７を設け、徐変曲率部１３に色彩フィルタ１８を設けたが、定曲率部１２と徐変曲率部１３のいずれか一方に偏光膜１７や色彩フィルタ１８を設けるようにしても良く、さらに定曲率部１２に色彩フィルタ１８を設け、徐変曲率部１３に偏光膜１７を設けるようにしても良い。ただし、像に歪みが生じる徐変曲率部１３に偏光膜を１７設けずに、色彩フィルタ１８を設ける上記の実施形態は、反射像の視認性においては最も好ましい。
【００３８】
つづいて、図７，図８に示す第２の実施形態について説明する。この実施形態は第１の実施形態と同様に、この発明にかかる間接視認装置を車両のドアミラー１０Ａに適用したものである。
【００３９】
図７は、ドアミラー１０Ａの反射鏡１１の機能を説明するための概念図である。
同図に示すように、ドアミラー１０Ａの反射鏡１１は、第１の実施形態と同様に、車幅方向内側の端部から逆側の端部に向かってほぼ３分の２の領域が定曲率部１２とされ、車幅方向外側の残余の領域が、徐変曲率部１３とされている。徐変曲率部１３は外側の端部に向かうにつれて鏡面の曲率半径が徐々に小さくなっている。
【００４０】
反射鏡１１の定曲率部１２には、５００ｎｍ〜５６０ｎｍの波長を中心とした分光特性の色彩フィルタ１８が設けられ、徐変曲率部１３には、視認角度によって可視状態と不可視状態に変化する視野角調整フィルム３０が設けられている。視野角調整フィルム３０は、所定角度に傾いた微細な光規制板をアクリルやＰＥＴ（ポリエチレンテレフタレート）のフィルムに組み込んだものであり、この実施形態の場合、光規制板（図示せず）は車幅方向に傾斜している。
視野角調整フィルム３０に組み込まれる光規制板は、運転席に着座した乗員のドアミラー１０Ａに対して離間する側の眼の視認角度にほぼ沿う角度に傾斜しており、ドアミラー１０Ａに近接する側の眼の視認角度に対しては傾斜角度を持つようになっている。したがって、例えば、図７に示すように運転席から見て右側のドアミラー１０Ａに対しては、運転者の左眼Ｅｌからは視野角調整フィルム３０（光規制板）を通した反射鏡１１の視認が可能であるが、右眼Ｅｒからは視野角調整フィルム３０（光規制板）によって視認を遮られる。左側のドアミラー１０Ａの場合には、逆に、左眼Ｅｌからは視認が遮られ、右眼Ｅｒからの視認のみが許容される。
【００４１】
図８は、車両の右側のドアミラー１０Ａを左眼で見たときの図（Ａ）と、同ドアミラー１０Ａを右眼で見たときの図（Ｂ）と、両眼で実際に認識される像（Ｃ）を示す図を併せて記載したものである。視野角調整フィルム３０が設けられた徐変曲率部１３においては、同図（Ｂ）に影を入れて示すように右眼からの視認が遮られる。このため、図９の比較例のように、徐変曲率部１３に視野角調整フィルム３０が設けられていない場合には、両眼視差によって二重の像Ｉ１，Ｉ２として乗員に視認されることになるが、この実施形態においては、視野角調整フィルム３０によって片側の眼からの徐変曲率部１３の視認が遮られるため、常に一重の像Ｉとして乗員に視認されるようになる。
【００４２】
この実施形態のドアミラー１０Ａは、車室に近接した大面積の定曲率部１２において、遠近感のつかみ易い歪みの少ない明瞭な後方視界を得ることができるとともに、定曲率部１２に５００ｎｍ〜５６０ｎｍの波長を中心とした分光特性の色彩フィルタ１８が設けられていることから、明所、暗所のいずれにおいても、視感度の高い明るい視界を得ることができる。
【００４３】
また、このドアミラー１０Ａは、車幅方向外側の徐変曲率部１３において、後方から側方にかけての広角範囲の視界を得ることができるとともに、徐変曲率部１３に、視野角調整フィルム３０が設けられていることから、前述のように両眼視差による像のダブリのない明瞭な後方視界を得ることができる。
特に、徐変曲率部１３は車幅方向の外側端部に向かって曲率が急激に変化するため、左右の眼で見た場合に同部位の写像が合致せず、ターゲットが二重に写る傾向が強くなるが、このドアミラー１０Ａにおいては、徐変曲率部１３に視野角調整フィルム３０を設けることでこの傾向を有効に改善することができる。
したがって、このドアミラー１０Ａを採用することにより、徐変曲率部１３を視認することによる運転者の心的負荷や眼の疲れ等を確実に軽減することができる。
【００４４】
そして、この実施形態の場合も、色彩フィルタ１８と視野角調整フィルム３０によって定曲率部１２と徐変曲率部１３の反射形態を異ならせているため、乗員が現在目視している領域が定曲率部１２であるのか徐変曲率部１３であるのかを、容易にかつ正確に判断することができる。
【００４５】
また、この実施形態のドアミラー１０Ａにおいては、視野角調整フィルム３０が乗員に近い側の眼に対して不可視状態となり、遠い側の眼に対しては可視状態となるため、乗員が像をより容易に視認することができる。
【００４６】
ところで、この実施形態の場合、定曲率部１２に色彩フィルタ１８が設けられ、徐変曲率部１３に視野角調整フィルム３０が設けられているが、逆に定曲率部１２に視野角調整フィルム３０を設け、徐変曲率部１３に色彩フィルタ１８を設けることも可能である。
ただし、この実施形態のように定曲率部１２に色彩フィルタ１８を設け、徐変曲率部１３に視野角調整フィルム３０を設けるようにした場合、定曲率部１２を通した主要な間接視認を両目で確実に行い、徐変曲率部１３を通した周辺視界のみを片目で行うことになるため、ドアミラー１０Ａを通した後方視界をより見易くすることができる。
【００４７】
なお、この発明は上記の実施形態に限定されるものではなく、その要旨を逸脱しない範囲で種々の設計変更が可能である。
【図面の簡単な説明】
【００４８】
【図１】この発明の第１の実施形態の車両の間接視認装置の斜視図。
【図２】同実施形態の車両の間接視認装置の正面図（Ａ）と断面図（Ｂ）を併せて記載した図。
【図３】同実施形態の偏光膜の機能を説明する概念図。
【図４】暗所視標準比視感度曲線と明所視標準比視感度曲線を示すグラフ。
【図５】この発明の第１の実施形態の変形例を示す断面図。
【図６】比較例の間接視認装置の正面図（Ａ）と断面図（Ｂ）を併せて記載した図。
【図７】この発明の第２の実施形態の間接視認装置の機能を説明する概念図。
【図８】同実施形態の間接視認装置を左眼で見たときの図（Ａ）と、右目で見たときの図（Ｂ）と、両眼で実際に見える像（Ｃ）を併せて記載した図。
【図９】比較例の間接視認装置を左眼で見たときの図（Ａ）と、右目で見たときの図（Ｂ）と、両眼で実際に見える像（Ｃ）を併せて記載した図。
【符号の説明】
【００４９】
１０，１０Ａ…ドアミラー（間接視認装置）
１１…反射鏡
１２…定曲率部
１３…徐変曲率部
１７…偏光膜
１８…色彩フィルタ
３０視野角調整フィルム
【図１】
2008174219.tif 000003
【図２】
2008174219.tif 000004
【図３】
2008174219.tif 000005
【図４】
2008174219.tif 000006
【図５】
2008174219.tif 000007
【図６】
2008174219.tif 000008
【図７】
2008174219.tif 000009
【図８】
2008174219.tif 000010
【図９】
2008174219.tif 000011